(57)【要約】【課題】立体画像データが所望のサイズになるよう編集した場合であっても、この立体画像データによって形成される点字を判読し易くする。【解決手段】立体画像形成システム１は、発泡高さに寄与する濃淡データを含む所定サイズの画像データの編集を行う際に、画像データのサイズ変更を伴う編集を行ったならば、サイズ変更情報に基づき濃淡データのうち点字を形成するための点字データを除く図形用データに対して平面方向にリサイズし、点字データの平面方向の大きさを変更せずに印刷位置を変更した際に、点字用データが印刷領域から逸脱するならば、警告を報知する。【選択図】図１
2018128992.tif 000002
【特許請求の範囲】
【請求項１】
発泡高さに寄与する濃淡データを含む所定サイズの画像データの編集を行う編集手段と、
前記編集手段が前記画像データのサイズ変更を伴う編集を行ったならば、サイズ変更情報に基づき前記濃淡データのうち点字を形成するための点字用データを除く図形用データに対して平面方向にリサイズする平面サイズ変更手段と、を備え、
前記平面サイズ変更手段は、前記点字用データの平面方向の大きさを変更せず、かつ印刷領域中の相対的位置を維持する、
ことを特徴とする立体画像データ作成システム。
【請求項２】
前記平面サイズ変更手段は、前記点字用データの平面方向の大きさを変更せず、かつ印刷領域中の相対的位置を維持しつつ、発泡高さが０の領域に配置する、
ことを特徴とする請求項１に記載の立体画像データ作成システム。
【請求項３】
前記平面サイズ変更手段は、前記点字用データの平面方向の大きさを変更せず、かつ印刷領域中の相対的位置を維持しつつ配置すると、発泡高さが０の領域に配置できない場合には、警告を報知する、
ことを特徴とする請求項２に記載の立体画像データ作成システム。
【請求項４】
前記平面サイズ変更手段は、前記点字用データの平面方向の大きさを変更せず、かつ印刷領域中の相対的位置を維持しつつ配置すると、印刷領域から逸脱するならば、発泡高さが０の領域に配置できないと判断し、警告を報知する、
ことを特徴とする請求項３に記載の立体画像データ作成システム。
【請求項５】
前記平面サイズ変更手段は、前記点字用データの平面方向の大きさを変更せず、かつ印刷領域中の相対的位置を維持しつつ配置すると、前記点字用データが前記図形用データと干渉するならば、警告を報知する、
ことを特徴とする請求項３に記載の立体画像データ作成システム。
【請求項６】
所定の領域を隆起させるための濃淡データのうち、点字として隆起させるための点字領域を検出する検出手段と、
前記所定の領域の平面サイズが変更されるように前記濃淡データを拡大編集または縮小編集する編集手段と、
を備え、
前記編集手段は、前記検出手段により検出された前記点字領域の平面サイズが前記拡大編集の前後または前記縮小編集の前後で同じになるように、前記濃淡データを拡大編集または縮小編集することを特徴とする立体画像データ作成システム。
【請求項７】
前記編集手段は、前記所定の領域に対する前記点字領域の相対位置が拡大編集の前後または縮小編集の前後で等しくなるように、前記濃淡データを拡大編集または縮小編集することを特徴とする請求項６に記載の立体画像データ作成システム。
【請求項８】
発泡高さに寄与する濃淡データを含む所定サイズの画像データの編集を行わせる手順、
前記画像データのサイズ変更を伴う編集を行ったならば、サイズ変更情報に基づき前記濃淡データのうち点字を形成するための点字用データを除く図形用データに対して平面方向にリサイズする手順、
前記点字用データの平面方向の大きさを変更せず、かつ印刷領域中の相対的位置を維持する手順、
をコンピュータに実行させるための立体画像データ作成プログラム。
【請求項９】
前記点字用データの平面方向の大きさを変更せず、かつ印刷領域中の相対的位置を維持しつつ、発泡高さが０の領域に配置する手順、
をコンピュータに実行させるための請求項８に記載の立体画像データ作成プログラム。
【請求項１０】
所定の領域を隆起させるための濃淡データのうち、点字として隆起させるための点字領域を検出する手順、
前記所定の領域の平面サイズが変更され、かつ前記点字領域の平面サイズが拡大編集の前後または縮小編集の前後で同じになるように、前記濃淡データを拡大編集または縮小編集する手順、
をコンピュータに実行させるための立体画像データ作成プログラム。
【発明の詳細な説明】
【技術分野】
【０００１】
本発明は、立体画像データ作成システムおよび立体画像データ作成プログラムに関する。
【背景技術】
【０００２】
従来、吸収した熱量に応じて膨張する膨張層を一方の面上に有する媒体（例えば、熱膨張性シート）上に、電磁波を熱に変換する電磁波熱変換層を印刷により形成し、膨張層のうち媒体に電磁波熱変換層が形成された部位を電磁波の照射によって膨張させて盛り上げることにより、立体画像を形成する方法が知られている（例えば、特許文献１，２参照）。
【先行技術文献】
【特許文献】
【０００３】
【特許文献１】特開昭６４−２８６６０号公報
【特許文献２】特開２００１−１５０８１２号公報
【非特許文献】
【０００４】
【非特許文献１】ＪＩＳ  Ｔ０９２１：２００６「高齢者・障害者配慮設計指針−点字の表示原則及び点字表示方法−公共施設・設備」
【発明の概要】
【発明が解決しようとする課題】
【０００５】
立体画像用として作成される立体画像コンテンツは、絵柄データと濃淡データの組合せで構成される。作成済みの立体画像コンテンツを編集・再利用して、新しい立体画像コンテンツを作成する際には、元の立体画像コンテンツの全体または一部に対して、平面方向のサイズを任意に拡大または縮小可能とさせたい。そのような場合、立体画像コンテンツを拡大する場合には発泡高さを高くし、縮小する場合には発泡高さを低くして、バランスをとるとよい。
【０００６】
ＪＩＳ規格（非特許文献１）において、点字を構成する各点の中心の高さは０．３〜０．５ｍｍと規定され、底面の直径は１．３〜１．７ｍｍと規定されている。点字の１単位である３行２列（６点）の点相互の中心間距離は縦２．２〜２．５ｍｍ、横２．０〜２．５ｍｍと規定されている。点字の文字間隔は５．１〜６．３ｍｍと規定され、点字の行間隔は１１．０〜１５．０ｍｍと規定されている。更に点字の横間隔と、点字の文字間隔との関係は細かく規定されている。視覚障碍者が誤りなく点字を読み取れるようにするためである。
【０００７】
しかし、上記したように、点字を含む立体画像コンテンツを拡大または縮小すると、点字が規格サイズから逸脱し、よって視覚障碍者が点字を読み取りにくくなったり、読み取れなくなったりするおそれがある。
【０００８】
そこで、本発明は、点字を含む立体画像コンテンツを編集した場合であっても、この立体画像コンテンツによって形成される絵柄または点字が意図せず損なわれることを防ぐ立体画像データ作成システムおよび立体画像データ作成プログラムを提供することを課題とする。
【課題を解決するための手段】
【０００９】
本発明は、上記目的を達成するため、
発泡高さに寄与する濃淡データを含む所定サイズの画像データの編集を行う編集手段と、
前記編集手段が前記画像データのサイズ変更を伴う編集を行ったならば、サイズ変更情報に基づき前記濃淡データのうち点字を形成するための点字用データを除く図形用データに対して平面方向にリサイズする平面サイズ変更手段と、を備え、
前記平面サイズ変更手段は、前記点字用データの平面方向の大きさを変更せず、かつ印刷領域中の相対的位置を維持する、
ことを特徴とする立体画像データ作成システムである。
【発明の効果】
【００１０】
本発明によれば、点字を含む立体画像コンテンツを編集した場合であっても、この立体画像コンテンツによって形成される絵柄または点字が意図せず損なわれることを防ぐことができる。
【図面の簡単な説明】
【００１１】
【図１】立体画像形成システムの概略を示す構成図である。
【図２】第１の実施形態における立体画像コンテンツのデータ構造を示す図である。
【図３】立体画像コンテンツの編集画面例を示す図である。
【図４】立体画像コンテンツをＡ４サイズに縮小リサイズしたときの編集画面例を示す図である。
【図５】立体画像コンテンツをＡ５サイズに縮小リサイズしたときの編集画面例を示す図である。
【図６】第１の実施形態における立体画像コンテンツのリサイズ処理を示すフローチャートである。
【図７】第１の実施形態における立体画像コンテンツの印刷処理を示すフローチャートである。
【図８】印刷前の媒体の断面図である。
【図９】表面用濃淡データ印刷後における媒体の断面図である。
【図１０】裏面用濃淡データ印刷後における媒体の断面図である。
【図１１】絵柄データ印刷後における媒体の断面図である。
【図１２】表面の発泡工程後における媒体の断面図である。
【図１３】裏面の発泡工程後における媒体の断面図である。
【図１４】Ａ３サイズで形成した立体画像を示す外観図である。
【図１５】Ａ４サイズで形成した立体画像を示す外観図である。
【図１６】Ａ５サイズで形成した場合の立体画像を示す概念図である。
【図１７】第２の実施形態における立体画像コンテンツのデータ構造を示す図である。
【図１８】第２の実施形態における立体画像コンテンツのリサイズ処理を示すフローチャートである。
【発明を実施するための形態】
【００１２】
以降、本発明を実施するための形態を、各図を参照して詳細に説明する。
図１は、立体画像形成システム１の概略を示す構成図である。
【００１３】
立体画像形成システム１（立体画像データ作成システム）は、コンピュータ３に、タッチパネルディスプレイ２と、印刷装置４１と、発泡装置４２とが接続されて構成される。立体画像形成システム１は、後記する熱膨張性シートに濃淡画像としてカーボンブラックを印刷したのち、この熱膨張性シートに向けて近赤外光や可視光を照射する。これにより、立体画像形成システム１は、この熱膨張性シートのカーボンブラックが印刷された領域を膨張させて、立体画像を形成させることができる。本実施形態において熱膨張性シートは、用紙または媒体に含まれる概念である。
【００１４】
コンピュータ３は、ＣＰＵ（Central Processing Unit）３１、ＲＯＭ（Read Only Memory）３２、ＲＡＭ（Random Access Memory）３３、記憶部３４を備え、印刷装置４１や発泡装置４２を制御する。記憶部３４には、熱膨張性シートに立体画像を形成するための立体画像コンテンツ５が格納されている。
【００１５】
タッチパネルディスプレイ２は、タッチパネルに液晶表示パネルが張り合わされて構成され、この立体画像形成システム１の操作に用いられる。これらコンピュータ３とタッチパネルディスプレイ２は、印刷装置４１または発泡装置４２の操作手順を案内表示させる表示ユニットとして機能する。
【００１６】
印刷装置４１は、インクジェット方式の印刷装置であり、媒体である熱膨張性シートの表面または／および裏面に、カーボンブラック（所定の印刷材）のインクによる濃淡画像を印刷する。なお、印刷装置４１は、インクジェット方式の印刷装置に限定されず、レーザ方式の印刷装置でもよく、所定の印刷材はトナーと現像剤の組合せであってもよい。
【００１７】
発泡装置４２は、熱膨張性シートを搬送しながら、この熱膨張性シートに可視光および近赤外光を照射し、カーボンブラックによる濃淡画像（電磁波熱変換層）が形成されている部分に熱を発生させるものである。この発泡装置４２は、例えば不図示のハロゲンヒータと搬送部を備え、熱膨張性シートの片面に光エネルギを照射する。
【００１８】
印刷装置４１への媒体の挿入手順において、タッチパネルディスプレイ２には、印刷装置４１への媒体の挿入操作のガイド画面が表示される。このガイド画面には、媒体に対応する画像と立体画像形成システム１に対応する画像が案内表示される。
【００１９】
発泡装置４２への媒体の挿入手順において、タッチパネルディスプレイ２には、発泡装置４２への媒体の挿入操作のガイド画面が表示される。このガイド画面には、媒体に対応する画像と立体画像形成システム１に対応する画像が、印刷装置４１への媒体の挿入操作のガイド画面に対して表示位置関係が反転するように案内表示される。
【００２０】
本実施形態では、立体画像形成システム１で使用可能な用紙サイズ種類に応じた立体画像コンテンツ５を予め作成しておく。これら立体画像コンテンツ５は、記憶部３４に格納されるか、またはネットワーク経由でアクセス可能なサーバ（不図示）にアップロードされていてもよい。
【００２１】
立体画像形成システム１において、ユーザは、タッチパネルディスプレイ２上で、使用可能な用紙サイズを選択可能である。また、ユーザは予め用意されている複数の立体画像コンテンツ５をタッチパネルディスプレイ２上に表示でき、その中から任意の立体画像コンテンツ５を選択できる。ユーザに選択された立体画像コンテンツ５は、ユーザに選択された用紙サイズを表す紙面エリア上の任意の位置にコピーまたは貼り付けられる。但し、Ａ４の用紙サイズの紙面エリアに対しては、Ａ４サイズ用の立体画像コンテンツ５からのみ選択可能となっている。
更には、紙面エリア上にコピーまたは貼り付けされた立体画像コンテンツ５は、その後に任意のサイズに拡大・縮小することもできる。このようにして出来上がった新たな立体画像コンテンツ５は、印刷用データに変換されて印刷装置４１に出力される。
【００２２】
この立体画像コンテンツ５をリサイズする際、ＣＰＵ３１は、絵画データを構成する絵柄データについて、元データからのサイズ変更情報に基づいてリサイズする。濃淡データについては、元データからのサイズ変更情報に基づいて平面方向のリサイズを行うと共に、サイズ変更比率に基づいて濃淡レベルを変更する。その後ＣＰＵ３１は、立体画像コンテンツ５を印刷用データに変換して、印刷装置４１を用いて用紙に印刷を行い、印刷された用紙を発泡装置４２で発泡させることで所望の結果を得ることができる。
【００２３】
なお、上記選択、決定され、紙面エリア上の貼付けられた立体画像コンテンツ５の任意の一部分を更に選択拡大して紙面上に印刷表示させる等の仕様も可能である。その際の印刷用データは、選択されたエリアと更なる拡大表示エリアとのサイズ比率に応じて濃淡データを変更することで作成される。
【００２４】
（第１の実施形態）
以下、図２から図７を参照しつつ第１の実施形態を説明する。第１の実施形態は、点字を形成するための点字用データと、点字を除く図形を形成するための図形用データとが分離されている。
【００２５】
図２は、第１の実施形態における立体画像コンテンツ５のデータ構造を示す図である。
立体絵画用として作成される立体画像コンテンツ５は、表面用濃淡データ５１、裏面用濃淡データ５２、絵柄データ５３、点字用データ５４を含んで構成される。表面用濃淡データ５１は、用紙を発泡させて所定の領域を隆起させるために用紙の表面に所定サイズで印刷される濃淡データ（画像データ）である。裏面用濃淡データ５２は、用紙を発泡させて所定の領域を隆起させるために用紙の裏面に所定サイズで印刷される濃淡データ（画像データ）である。絵柄データ５３は、絵柄に係るものであり、用紙の表面に印刷されるカラーデータである。
点字用データ５４は、用紙を発泡させて点字として隆起させるためのものであり、用紙の表面に印刷される濃淡データ５４２と、その位置情報５４１とを含んでいる。
【００２６】
図３は、立体画像コンテンツ５の編集画面６の一例を示す図である。
編集画面６は、左側にコンテンツ表示領域７ａを備え、右側にはコンテンツ表示領域７ａに表示されるコンテンツを編集する各種操作要素を表示している。このコンテンツ表示領域７ａは、Ａ３サイズであり、点字領域７１，７３と、ランドマーク７２，７４と、方位マーク７５と、道路７６とを含んでいる。この編集画面６は、発泡高さに寄与する濃淡データを含む所定サイズの立体画像コンテンツ５（画像データ）の編集を行う編集手段として機能する。点字領域７１には、ランドマーク７２の説明が点字で示されている。点字領域７３には、ランドマーク７４の説明が点字で示されている。
【００２７】
編集画面６の右側１列目には、「編集」が表示され、その右側には、保存ボタン６０、Ａ５指定ボタン６１１、Ａ４指定ボタン６１２、Ａ３指定ボタン６１３が表示されている。
保存ボタン６０は、コンテンツ表示領域７ａに表示されているコンテンツを記憶部３４（図１参照）に保存するボタンである。
【００２８】
Ａ５指定ボタン６１１は、コンテンツ表示領域７ａに表示されているコンテンツの平面方向のサイズをＡ５サイズに指定するボタンである。Ａ４指定ボタン６１２は、コンテンツ表示領域７ａに表示されているコンテンツの平面方向のサイズをＡ４サイズに指定するボタンである。Ａ３指定ボタン６１３は、コンテンツ表示領域７ａに表示されているコンテンツの平面方向のサイズをＡ３サイズに指定するボタンである。ここでは、Ａ３指定ボタン６１３が強調表示されており、Ａ３サイズが指定されていることを示している。
これらＡ５指定ボタン６１１、Ａ４指定ボタン６１２、Ａ３指定ボタン６１３をタップしたならば、図１のＣＰＵ３１は、サイズ変更情報に基づき、点字用データ５４を除く表面用濃淡データ５１と裏面用濃淡データ５２を平面方向にリサイズする。
【００２９】
編集画面６の右側２列目は、タイトル領域６２である。タイトル領域６２には、コンテンツのタイトル“点字図書館への経路”が表示されている。
【００３０】
編集画面６の右側３列目は、オブジェクト選択ボタン群６３である。オブジェクト選択ボタン群６３は、左側から順に線選択ボタン、円選択ボタン、矩形選択ボタン、文字選択ボタン、点字選択ボタン、スタンプ選択ボタンを含んでいる。
【００３１】
線選択ボタンは、編集対象として線を選択するボタンである。円選択ボタンは、編集対象として円を選択するボタンである。矩形選択ボタンは、編集対象として矩形を選択するボタンである。文字選択ボタンは、編集対象として文字列を選択するボタンである。点字選択ボタンは、編集対象として点字を選択するボタンである。スタンプ選択ボタンは、編集対象として各種記号を選択するボタンである。オブジェクト選択ボタン群６３は、択一的に選択されて、選択結果が強調表示される。オブジェクト選択ボタン群６３の下の領域には、選択したオブジェクトの属性を設定する領域が表示される。
【００３２】
ここでは、矩形選択ボタンが強調表示されており、ユーザによって選択されていることを示している。更にその下の領域には、矩形を構成する線の属性を設定する線属性領域６４と、矩形を塗りつぶす際の属性を設定する塗りつぶし領域６５とが表示されている。
【００３３】
線属性領域６４は、色選択メニューと、線の種類メニューと、線の太さを細くするボタンおよび太くするボタンと、発泡高さを設定する「なし」、「低」、「中」、「高」のボタンを有している。
【００３４】
発泡高さ「なし」ボタンがタップされると、濃淡データ中の線の濃度は０％となる。発泡高さ「低」ボタンがタップされると、濃淡データ中の線の濃度は３０％となる。発泡高さ「中」ボタンがタップされると、濃淡データ中の線の濃度は６０％となる。発泡高さ「高」ボタンがタップされると、濃淡データ中の線の濃度は９０％となる。
【００３５】
塗りつぶし領域６５は、「なし」、「単色」、「パターン」ラジオボタンを有している。「なし」ラジオボタンが選択されると、線で区切られた内側の領域を塗りつぶさない。「単色」ラジオボタンが選択されると、線で区切られた内側の領域を単色で塗りつぶす。「パターン」ラジオボタンが選択されると、ＣＰＵ３１は、線で区切られた内側の領域をディザパターン等で塗りつぶす。ここでは、「なし」ラジオボタンが選択されている。
【００３６】
塗りつぶし領域６５の下側には、編集ボタン群６６が配置されている。編集ボタン群６６は、「元に」、「前面」、「背面」、「切取」、「コピー」、「貼付」、「削除」ボタンを有している。
【００３７】
「元に」ボタンは、直前の編集動作を取り消して元に戻すボタンである。「前面」ボタンは、当該オブジェクトを他のオブジェクトよりも優先表示させるボタンである。「背面」ボタンは、他のオブジェクトを当該オブジェクトよりも優先表示させるボタンである。
【００３８】
「切取」ボタンは、当該オブジェクトをコンテンツから切り取って消去し、一時的な記憶領域（例えば、クリップボードなど）に格納するボタンである。「コピー」ボタンは、当該オブジェクトを一時的な記憶領域に格納するボタンである。「貼付」ボタンは、一時的な記憶領域に格納されたオブジェクトを貼り付けるボタンである。「削除」ボタンは、当該オブジェクトを削除するボタンである。
【００３９】
編集ボタン群６６の下側には、発泡高さ強調に関するボタンが配置されている。発泡高さ強調に関するボタンは、線形強調ボタン６７１、非線形強調ボタン６７２である。
【００４０】
ユーザが線形強調ボタン６７１をタップすると、ＣＰＵ３１は、コンテンツの発泡高さを線形で強調する。非線形強調ボタン６７２をタップすると、ＣＰＵ３１は、コンテンツの発泡高さを非線形で強調する。
【００４１】
図４は、立体画像コンテンツ５をＡ４サイズに縮小リサイズしたときの編集画面６の例を示す図である。
この編集画面６に優先して、警告ダイアログ６８ｂが表示されている。警告ダイアログ６８ｂには、「点字と他の凹凸とが干渉しています。」と「点字を優先して配置しますか。」が表示されている。ユーザがＯＫボタン６８１をタップすることにより警告ダイアログ６８ｂが閉じ、ユーザは編集画面６を操作可能となる。ユーザが中止ボタン６８２をタップすることにより警告ダイアログ６８ｂが閉じ、編集画面６から遷移元の画面に遷移する。
編集画面６において、Ａ４指定ボタン６１２が強調表示されており、Ａ４サイズが指定されていることを示している。コンテンツ表示領域７ｂに表示されているコンテンツは、図３に示したＡ３サイズからＡ４サイズにリサイズされている。リサイズに伴う縮小率は、およそ７０％である。
【００４２】
しかし、点字領域７１，７３は平面方向にリサイズされておらず、方位マーク７５よりも優先して配置される。方位マーク７５の上半分の発泡高さが０となり、その部分には点字領域７１が配置されている。警告ダイアログ６８ｂは、点字領域７１と方位マーク７５との干渉をユーザに警告している。
【００４３】
図５は、立体画像コンテンツ５をＡ５サイズに縮小リサイズしたときの編集画面６の例を示す図である。
この編集画面６に優先して、警告ダイアログ６８ｃが表示されている。警告ダイアログ６８ｃには、「点字を印刷領域に配置できません。」と「この配置で確定しますか。」が表示されている。ユーザがＯＫボタン６８１をタップすることにより警告ダイアログ６８ｃが閉じ、ユーザは編集画面６を操作可能となる。ユーザが中止ボタン６８２をタップすることにより警告ダイアログ６８ｃが閉じ、編集画面６から遷移元の画面に遷移する。
編集画面６において、Ａ５指定ボタン６１１が強調表示されており、Ａ５サイズが指定されていることを示している。コンテンツ表示領域７ｃに表示されているコンテンツは、図３に示したＡ３サイズからＡ５サイズにリサイズされている。リサイズに伴う縮小率は、およそ５０％である。
【００４４】
点字領域７１，７３は平面方向にリサイズされておらず、方位マーク７５よりも優先して配置される。方位マーク７５は発泡高さが０となり、その部分には点字領域７１，７３が配置されている。警告ダイアログ６８ｃは、点字領域７１と方位マーク７５との干渉をユーザに警告している。
【００４５】
更に点字領域７１，７３は、コンテンツ表示領域７ｃから逸脱しており、よって印刷領域から逸脱している。警告ダイアログ６８ｃは、点字領域７１，７３が印刷領域に配置できない旨をユーザに警告している。
【００４６】
図６は、第１の実施形態における立体画像コンテンツ５のリサイズ処理を示すフローチャートである。
図３から図５に示すＡ５指定ボタン６１１、Ａ４指定ボタン６１２、Ａ３指定ボタン６１３のうちいずれかがタップされると、リサイズ処理が開始する。
最初、ＣＰＵ３１は、裏面用濃淡データ５２を平面方向にリサイズし（ステップＳ１）、次に表面用濃淡データ５１を平面方向にリサイズする（ステップＳ２）。
更にＣＰＵ３１は、点字用データ５４のうち位置情報５４１を修正する（ステップＳ３）。ＣＰＵ３１は、点字用データ５４の平面方向の大きさを変更せず、かつ印刷領域中の相対的位置である位置情報５４１を維持するように修正する。ＣＰＵ３１は、点字を示す凹凸を、平面方向にも高さ方向にもリサイズしないので、立体画像の点字を判読し易くすることができる。
【００４７】
ＣＰＵ３１は、点字用データ５４に含まれる濃淡データ５４２が印刷領域のうち位置情報５４１に配置可能か否かを判断し（ステップＳ４）、配置できなければ（ステップＳ４→Ｎｏ）、その旨の警告を表示する（ステップＳ５）。点字用データ５４が印刷領域に配置できない場合とは、例えば濃淡データ５４２が印刷領域からはみ出す場合や、複数の点字用データ５４が相互に干渉する場合をいう。この警告表示の例は、図５に示した警告ダイアログ６８ｃの「点字を印刷領域に配置できません。この配置で確定しますか。」である。
この警告によりユーザは、点字用データ５４の長さや位置の調整を要することを認知可能である。ＣＰＵ３１は、表示した警告メッセージにおいてユーザが中止を選択したと判定したならば（ステップＳ６→Ｙｅｓ）、図６の処理を強制終了する。ＣＰＵ３１は、ユーザが中止を選択しなかったと判定したならば（ステップＳ６→Ｎｏ）、ステップＳ７の処理に進む。
なお、ＣＰＵ３１は、点字用データ５４に含まれる濃淡データ５４２が配置可能と判断したならば（ステップＳ４→Ｙｅｓ）、ステップＳ７の処理に進む。
【００４８】
ステップＳ７において、ＣＰＵ３１は、点字用データ５４を高さ０に相当する濃度領域に配置できるか否かを判断する。高さ０に相当する濃度領域は、濃度レベルが低く用紙が隆起しない領域である。ＣＰＵ３１は、点字用データ５４が高さ０に相当する濃度領域に配置できるならば（ステップＳ７→Ｙｅｓ）、ステップＳ１１の処理に進む。ＣＰＵ３１は、点字用データ５４が高さ０に相当する濃度領域に配置できないならば（ステップＳ７→Ｎｏ）、その旨の警告を表示する（ステップＳ８）。この警告表示の例は、図４に示した警告ダイアログ６８ｂの「点字と他の凹凸とが干渉しています。点字を優先して配置しますか。」である。この警告によりユーザは、立体画像コンテンツ５の位置調整を要することを認知可能である。ＣＰＵ３１は、表示した警告メッセージにおいてユーザが中止を選択したと判定したならば（ステップＳ９→Ｙｅｓ）、図６の処理を強制終了する。ＣＰＵ３１は、ユーザが中止を選択しなかったと判定したならば（ステップＳ９→Ｎｏ）、点字の周囲に高さ０に相当する濃度領域を作成する（ステップＳ１０）。
最後にＣＰＵ３１は、絵柄データ５３を平面方向にリサイズし（ステップＳ１１）、図６の処理を終了する。
【００４９】
図７は、第１の実施形態における立体画像コンテンツの印刷処理を示すフローチャートである。
最初、ＣＰＵ３１は、表面用濃淡データ５１と点字用データ５４とを合成して印刷装置４１に出力し、用紙８Ａ（図８参照）の表面に印刷させる（ステップＳ２０）。これにより、図９に示す用紙８Ｂが形成される。
次にＣＰＵ３１は、裏面用濃淡データ５２を印刷装置４１に出力し、用紙８Ｂ（図９参照）の表面に印刷させる（ステップＳ２１）。これにより、図１０に示す用紙８Ｃが形成される。
【００５０】
更にＣＰＵ３１は、絵柄データ５３を印刷装置４１に出力し、用紙８Ｃ（図１０参照）の裏面に印刷させる（ステップＳ２２）。これにより、図１１に示す用紙８Ｄが形成される。
ユーザが用紙８Ｄの表面を上にして発泡装置４２に設置し（ステップＳ２３）、発泡装置４２が用紙８Ｄの表面側に光を照射して発泡させる（ステップＳ２４）。これにより、図１２に示す用紙８Ｅが形成される。
更にユーザが用紙８Ｅの裏面を上にして発泡装置４２に設置し（ステップＳ２５）、発泡装置４２が用紙８Ｅの裏面側に光を照射して発泡させる（ステップＳ２６）。これにより、図１３に示す用紙８Ｆが形成される。この用紙８Ｆは、立体画像である。
【００５１】
以下、図８から図１３を参照して、印刷処理と発泡処理について説明する。
図８は、印刷前の媒体の断面図である。
用紙８Ａは、基材８１と発泡樹脂層８２とインク受容層８３とが順に積層されている。この用紙８Ａは、立体画像形成システム１における工程を経ていない媒体の例である。
基材８１は、紙、キャンバス地などの布、プラスチックなどのパネル材などからなり、材質は特に限定されるものではない。
【００５２】
発泡樹脂層８２には、基材８１上に設けられた熱可塑性樹脂であるバインダ内に熱発泡剤（熱膨張性マイクロカプセル）が分散配置されている。これにより、発泡樹脂層８２は、吸収した熱量に応じて発泡膨張する。
【００５３】
インク受容層８３は、発泡樹脂層８２の上面全体を覆うように、例えば、１０μｍの厚さに形成されている。インク受容層８３は、インクジェット方式プリンタのインク、レーザ方式プリンタのトナー、ボールペンや万年筆のインク、鉛筆の黒鉛などを受容し、表面に定着させるために好適な材料で構成される。
【００５４】
図９は、表面用濃淡データ５１の印刷後における媒体の断面図である。
用紙８Ｂは、図８に示した用紙８Ａの表面（インク受容層８３側）に対して電磁波熱変換層８４が印刷されている。この用紙８Ｂは、立体画像形成システム１において、表面用濃淡データ５１の印刷工程を経た媒体の例である。
電磁波熱変換層８４は、例えばカーボンブラックを含むインクで印刷された層であり、可視光や近赤外光（電磁波）を熱に変換する。
【００５５】
図１０は、裏面用濃淡データ５２の印刷後における媒体の断面図である。
用紙８Ｃは、図９に示す用紙８Ｂの裏面（基材８１側）に電磁波熱変換層８６が印刷されている。この用紙８Ｃは、立体画像形成システム１において、表面用濃淡データ５１の印刷工程と、裏面用濃淡データ５２の印刷工程を経た媒体の例である。
電磁波熱変換層８６は、例えばカーボンブラックを含むインクで印刷された層であり、可視光や近赤外光（電磁波）を熱に変換する。
【００５６】
図１１は、絵柄データ５３の印刷後における媒体の断面図である。
用紙８Ｄは、図１０に示す用紙８Ｃの表面（インク受容層８３側）にカラーインク層８５ａ，８５ｂが印刷されている。この用紙８Ｄは、立体画像形成システム１において、表面用濃淡データ５１の印刷工程と、裏面用濃淡データ５２の印刷工程と、絵柄データ５３の印刷工程を経た媒体の例である。
【００５７】
用紙８Ｄは、発泡樹脂層８２を加熱により膨張させる前の状態なので、この発泡樹脂層８２の厚さは一様である。用紙８Ｄは、発泡装置４２の用紙ガイドに、電磁波熱変換層８４が印刷されたインク受容層８３を上に向けてセットされる。そののち用紙８Ｄは、搬送路で可視光や近赤外光（電磁波）を照射されることで発泡樹脂層８２が加熱により膨張し、図１２に示した用紙８Ｅが形成される。
【００５８】
図１２は、表面の発泡工程後における媒体の断面図である。
用紙８Ｅは、立体画像形成システム１において、表面発泡工程を経た媒体の例である。
電磁波熱変換層８４は、発泡装置４２による第１回目の搬送において、図の上側から光の照射を受けて熱に変換する、この電磁波熱変換層８４は、用紙８Ｅに細かな立体パターンを形成するために設けられている。この電磁波熱変換層８４の直下の発泡樹脂層８２は、熱を受けて発泡膨張する。インク受容層８３、電磁波熱変換層８４、カラーインク層８５ｂは、それぞれ伸縮性を有し、発泡樹脂層８２の発泡膨張に追従して変形する。このようにして図１２に示した用紙８Ｅが形成される。
【００５９】
用紙８Ｅは更に、発泡装置４２の用紙ガイドに、電磁波熱変換層８６が印刷された基材８１を上に向けてセットされたのち、搬送路で可視光や近赤外光（電磁波）を照射される。これにより発泡樹脂層８２が加熱されて膨張し、図１２に示した用紙８Ｆが形成される。
【００６０】
図１３は、裏面の発泡工程後における媒体の断面図である。
用紙８Ｆは、立体画像形成システム１において、裏面発泡工程を経た媒体の例である。
電磁波熱変換層８６は、発泡装置４２による第２回目の搬送において、図の下側から光の照射を受けて熱に変換する、この電磁波熱変換層８６は、粗い立体パターンを形成するために設けられている。この電磁波熱変換層８６の近傍の発泡樹脂層８２は、熱を受けて発泡膨張する。インク受容層８３、電磁波熱変換層８４、カラーインク層８５ａは、それぞれ伸縮性を有し、発泡樹脂層８２の発泡膨張に追従して変形する。このようにして、立体画像を含む用紙８Ｆが形成される。
【００６１】
図１４は、Ａ３サイズで形成した立体画像９ａを示す外観図である。この立体画像９ａは、例えば、図３のコンテンツ表示領域７ａに表示されている立体画像コンテンツ５を用いて形成されている。
この立体画像９ａは、Ａ３サイズであり、点字領域９１，９３と、ランドマーク９２，９４と、方位マーク９５と、道路９６とを含んでいる。点字領域９１は、ランドマーク９２の右側に位置しており、このランドマーク９２の説明が点字で示されている。点字領域９３は、ランドマーク９４の右側に位置しており、このランドマーク９４の説明が点字で示されている。
方位マーク９５は、点字領域９１，９３の右側かつ所定間隔だけ離れた位置に配置されている。道路９６は、点字領域９３の下側に配置されている。
【００６２】
図１５は、Ａ４サイズで形成した立体画像９ｂを示す外観図である。この立体画像９ｂは、例えば、図４のコンテンツ表示領域７ｂに表示されている立体画像コンテンツ５を用いて形成されている。
この立体画像９ｂは、Ａ４サイズであり、点字領域９１，９３と、ランドマーク９２，９４と、方位マーク９５と、道路９６とを含んでいる。点字領域９１は、ランドマーク９２の右側に位置しており、このランドマーク９２の説明が点字で示されている。点字領域９３は、ランドマーク９４の右側に位置しており、このランドマーク９４の説明が点字で示されている。
【００６３】
方位マーク９５は、点字領域９３の右側かつ点字領域９１と一部が重なる位置に配置されている。方位マーク９５の上半分は点字領域９１と重なる領域であるため、方位マーク９５としての凹凸が形成されておらず、代わりに、高さ０の領域に点字の凹凸が形成されている。方位マーク９５の下半分は、点字領域９１，９３のいずれにも重ならないため、方位マーク９５としての凹凸が形成されている。このように、点字用の濃淡データを、点字以外の他の濃淡データよりも優先して濃淡画像を媒体に形成し、この媒体を発泡させている。これにより、立体画像コンテンツが所望のサイズになるよう編集した場合であっても、この立体画像コンテンツによって形成される点字を判読し易くなる。
道路９６は、点字領域９３の下側に配置されている。
【００６４】
図１６は、Ａ５サイズで形成した場合の立体画像９ｃを示す概念図である。この立体画像９ｃは、例えば、図５のコンテンツ表示領域７ｃに表示されている立体画像コンテンツ５を用いて形成されている。
この立体画像９ｃは、Ａ５サイズであり、点字領域９１，９３と、ランドマーク９２，９４と、道路９６とを含んでいる。
点字領域９１は、ランドマーク９２の右側に位置しており、このランドマーク９２の説明の一部が点字で示されているが、立体画像９ｃから逸脱している部分は形成されていない。図１６では、立体画像９ｃから逸脱している部分を含めて破線で示している。
【００６５】
点字領域９３は、ランドマーク９４の右側に位置しており、このランドマーク９４の説明の一部が点字で示されている。点字領域９３のうち、立体画像９ｃから逸脱している部分は形成されていない。
点字領域９１と点字領域９３とは殆ど距離なく隣接している。よっで、立体画像９ｃに対応する立体画像コンテンツ５を更に縮小リサイズすると、点字領域９１と点字領域９３とが相互に干渉して、配置できなくなる。
【００６６】
方位マーク領域９５１は、方位マーク９５がリサイズされて配置される領域である。この方位マーク領域９５１は、点字領域９３および点字領域９１と重なる位置であるため、方位マーク９５としての凹凸が形成されておらず、代わりに、高さ０の領域に点字の凹凸が形成されている。
道路９６は、点字領域９３の下側に配置されている。
【００６７】
（第２の実施形態）
以下、図１７から図１８を参照しつつ第２の実施形態を説明する。第２の実施形態は、表面用濃淡データに、点字を形成するための点字領域と点字を除く図形を形成するための図形領域とが含まれている。
【００６８】
図１７は、第２の実施形態における立体画像コンテンツのデータ構造を示す図である。
立体絵画用として作成される立体画像コンテンツ５Ａは、表面用濃淡データ５１Ａ、裏面用濃淡データ５２、絵柄データ５３を含んで構成される。第２の実施形態の立体画像コンテンツ５Ａは、第１の実施形態の立体画像コンテンツ５とは異なり、点字用データ５４を含んでいない。
【００６９】
表面用濃淡データ５１Ａは、用紙を発泡させて所定の領域を隆起させるために用紙の表面に所定サイズで印刷される濃淡データである。表面用濃淡データ５１Ａは、印刷領域（所定の領域）を隆起させるための濃淡データであり、点字として隆起させるための点字領域５１１と、点字以外の図形を隆起させるための図形領域５１２を含んでいる。裏面用濃淡データ５２は、用紙を発泡させて所定の領域を隆起させるために用紙の裏面に所定サイズで印刷される濃淡データである。絵柄データ５３は、絵柄に係るものであり、用紙の表面に印刷されるカラーデータである。
【００７０】
図１に示した立体画像形成システム１のＣＰＵ３１が編集プログラムを実行することにより、用紙の所定の領域を隆起させるための表面用濃淡データ５１Ａのうち、点字として隆起させるための点字領域５１１を検出する検出手段を具現化する。更にＣＰＵ３１が編集プログラムを実行することにより、印刷領域の平面サイズが変更されるように表面用濃淡データ５１Ａ、裏面用濃淡データ５２、絵柄データ５３をリサイズ（拡大編集または縮小編集）する編集手段を具現化する。この編集手段は、点字領域５１１の平面サイズが、リサイズの前後で同じになるように、表面用濃淡データ５１Ａ、裏面用濃淡データ５２、絵柄データ５３をそれぞれリサイズする。この編集手段は更に、印刷領域に対する点字領域５１１の相対位置がリサイズの前後で等しくなるように、表面用濃淡データ５１Ａ、裏面用濃淡データ５２、絵柄データ５３をそれぞれリサイズする。このリサイズ処理について、後記する図１８で詳細に説明する。
【００７１】
図１８は、第２の実施形態における立体画像コンテンツのリサイズ処理を示すフローチャートである。
図３から図５に示すＡ５指定ボタン６１１、Ａ４指定ボタン６１２、Ａ３指定ボタン６１３のうちいずれかがタップされると、リサイズ処理が開始する。ここでリサイズ処理とは、平面サイズを拡大編集する処理と、平面サイズを縮小編集する処理のうちいずれかをいう。
最初、ＣＰＵ３１は、裏面用濃淡データ５２を平面方向にリサイズし（ステップＳ３０）、次に表面用濃淡データ５１Ａから点字領域５１１を検出する（ステップＳ３１）。点字領域５１１の検出は、例えば点字パターンとの照合によって行われる。
【００７２】
ＣＰＵ３１は、検出した点字領域５１１とその位置を点字領域データ（不図示）としてＲＡＭ３３に保存する（ステップＳ３２）。ＣＰＵ３１は、表面用濃淡データ５１Ａから点字領域５１１を消去してＲＡＭ３３に保存し（ステップＳ３３）、点字領域５１１を消去した表面用濃淡データを平面方向にリサイズする（ステップＳ３４）。これにより、図１７に示した図形領域５１２がリサイズされる。ＣＰＵ３１は、表面用濃淡データ５１Ａから点字領域５１１に該当する領域を濃度０で消去してもよく、表面用濃淡データ５１Ａに係る領域から点字領域５１１に該当する領域を消去してもよい。
更にＣＰＵ３１は、点字領域データの位置を修正する（ステップＳ３５）。ＣＰＵ３１は、点字領域データの平面方向の大きさを変更せず、かつ印刷領域中の相対的位置を維持するように修正する。ＣＰＵ３１は、点字を示す凹凸を、平面方向にも高さ方向にもリサイズしないので、立体画像の点字を判読し易くすることができる。
【００７３】
ＣＰＵ３１は、点字領域データが印刷領域に配置可能か否かを判断し（ステップＳ３６）、配置できなければ（ステップＳ３６→Ｎｏ）、その旨の警告を表示する（ステップＳ３７）。点字領域データが印刷領域に配置できない場合とは、例えば点字領域データが印刷領域からはみ出す場合や、複数の点字領域データが相互に干渉する場合をいう。この警告表示の例は、図５に示した警告ダイアログ６８ｃの「点字を印刷領域に配置できません。この配置で確定しますか。」である。
【００７４】
この警告によりユーザは、このリサイズによって点字が配置できなくなることを認知可能である。ＣＰＵ３１は、表示した警告メッセージにおいてユーザが中止を選択したと判定したならば（ステップＳ３８→Ｙｅｓ）、図１８の処理を強制終了する。ＣＰＵ３１は、ユーザが中止を選択しなかったと判定したならば（ステップＳ３８→Ｎｏ）、ステップＳ３９の処理に進む。
なお、ＣＰＵ３１は、点字領域データが印刷領域に配置可能と判断したならば（ステップＳ３６→Ｙｅｓ）、ステップＳ３９の処理に進む。
【００７５】
ステップＳ３９において、ＣＰＵ３１は、点字領域データを高さ０に相当する濃度領域に配置できるか否かを判断する。高さ０に相当する濃度領域は、濃度レベルが低く用紙が隆起しない領域である。ＣＰＵ３１は、点字領域データが高さ０に相当する濃度領域に配置できるならば（ステップＳ３９→Ｙｅｓ）、ステップＳ４３の処理に進む。ＣＰＵ３１は、点字領域データが高さ０に相当する濃度領域に配置できないならば（ステップＳ３９→Ｎｏ）、その旨の警告を表示する（ステップＳ４０）。この警告表示の例は、図４に示した警告ダイアログ６８ｂの「点字と他の凹凸とが干渉しています。点字を優先して配置しますか。」である。この警告によりユーザは、立体画像コンテンツ５Ａの位置調整を要することを認知可能である。ＣＰＵ３１は、表示した警告メッセージにおいてユーザが中止を選択したと判定したならば（ステップＳ４１→Ｙｅｓ）、図１８の処理を強制終了する。ＣＰＵ３１は、ユーザが中止を選択しなかったと判定したならば（ステップＳ１８→Ｎｏ）、点字の周囲に高さ０に相当する濃度領域を作成する（ステップＳ４２）。
最後にＣＰＵ３１は、絵柄データ５３を平面方向にリサイズし（ステップＳ４３）、図１８の処理を終了する。
【００７６】
このように、第２の実施形態では、点字用データと図形用データとが分離されていなくても、この点字領域を検出して、この点字領域の平面サイズと相対位置とがリサイズの前後で同じになるようにする。これにより、第１の実施形態と同様に、点字を含む立体画像コンテンツを編集した場合であっても、この立体画像コンテンツによって形成される点字を判読しやすいものとすることができる。また、この立体画像コンテンツによって形成される絵柄または点字が意図せず損なわれることを防ぐことができる。
【００７７】
なお、第２の実施形態の点字領域５１１を用紙に印刷して隆起させると、高さ０の領域に規格値の高さで隆起した点字が形成される。しかし、これに限られず、点字領域５１１を用紙に印刷して隆起させたとき、一様な所定高さの領域に規格値の高さで相対的に隆起した点字が形成されてもよい。このとき点字領域５１１を用紙に印刷して隆起させた場合の各点の相対的な高低差は、一様な所定高さと各点の隆起高さとの差となる。
【００７８】
（変形例）
本発明は、上記実施形態に限定されることなく、本発明の趣旨を逸脱しない範囲で、変更実施が可能であり、例えば、次の（ａ）〜（ｄ）のようなものがある。
（ａ）  立体画像形成システム１が実行するのはＡ３サイズ、Ａ４サイズ、Ａ５サイズへのリサイズに限定されない。任意のサイズにリサイズされてもよい。
（ｂ）  立体画像形成システム１が実行するのはコンテンツ全体のリサイズに限定されない。コンテンツの一部のリサイズであってもよい。
（ｃ）  立体画像形成システム１は、縮小時の点字領域相互の干渉や点字領域の印刷領域からの逸脱時に、警告するだけではなく、縮小処理を受け付けないようにしてもよい。
（ｄ）  上記実施形態では、点字データと点字以外の図形データとを分離して、図形データに限ってリサイズを行っている。しかし、これに限られず、点字と図形とを含む画像データ全体にリサイズを掛けたのち、点字の領域にリサイズの逆変換を掛けて元に戻してもよく、限定されない。
【００７９】
以下に、この出願の願書に最初に添付した特許請求の範囲に記載した発明を付記する。付記に記載した請求項の項番は、この出願の願書に最初に添付した特許請求の範囲の通りである。
〔付記〕
《請求項１》
発泡高さに寄与する濃淡データを含む所定サイズの画像データの編集を行う編集手段と、
前記編集手段が前記画像データのサイズ変更を伴う編集を行ったならば、サイズ変更情報に基づき前記濃淡データのうち点字を形成するための点字用データを除く図形用データに対して平面方向にリサイズする平面サイズ変更手段と、を備え、
前記平面サイズ変更手段は、前記点字用データの平面方向の大きさを変更せず、かつ印刷領域中の相対的位置を維持する、
ことを特徴とする立体画像データ作成システム。
《請求項２》
前記平面サイズ変更手段は、前記点字用データの平面方向の大きさを変更せず、かつ印刷領域中の相対的位置を維持しつつ、発泡高さが０の領域に配置する、
ことを特徴とする請求項１に記載の立体画像データ作成システム。
《請求項３》
前記平面サイズ変更手段は、前記点字用データの平面方向の大きさを変更せず、かつ印刷領域中の相対的位置を維持しつつ配置すると、発泡高さが０の領域に配置できない場合には、警告を報知する、
ことを特徴とする請求項２に記載の立体画像データ作成システム。
《請求項４》
前記平面サイズ変更手段は、前記点字用データの平面方向の大きさを変更せず、かつ印刷領域中の相対的位置を維持しつつ配置すると、印刷領域から逸脱するならば、発泡高さが０の領域に配置できないと判断し、警告を報知する、
ことを特徴とする請求項３に記載の立体画像データ作成システム。
《請求項５》
前記平面サイズ変更手段は、前記点字用データの平面方向の大きさを変更せず、かつ印刷領域中の相対的位置を維持しつつ配置すると、前記点字用データが前記図形用データと干渉するならば、警告を報知する、
ことを特徴とする請求項３に記載の立体画像データ作成システム。
《請求項６》
所定の領域を隆起させるための濃淡データのうち、点字として隆起させるための点字領域を検出する検出手段と、
前記所定の領域の平面サイズが変更されるように前記濃淡データを拡大編集または縮小編集する編集手段と、
を備え、
前記編集手段は、前記検出手段により検出された前記点字領域の平面サイズが前記拡大編集の前後または前記縮小編集の前後で同じになるように、前記濃淡データを拡大編集または縮小編集することを特徴とする立体画像データ作成システム。
《請求項７》
前記編集手段は、前記所定の領域に対する前記点字領域の相対位置が拡大編集の前後または縮小編集の前後で等しくなるように、前記濃淡データを拡大編集または縮小編集することを特徴とする請求項６に記載の立体画像データ作成システム。
《請求項８》
発泡高さに寄与する濃淡データを含む所定サイズの画像データの編集を行わせる手順、
前記画像データのサイズ変更を伴う編集を行ったならば、サイズ変更情報に基づき前記濃淡データのうち点字を形成するための点字用データを除く図形用データに対して平面方向にリサイズする手順、
前記点字用データの平面方向の大きさを変更せず、かつ印刷領域中の相対的位置を維持する手順、
をコンピュータに実行させるための立体画像データ作成プログラム。
《請求項９》
前記点字用データの平面方向の大きさを変更せず、かつ印刷領域中の相対的位置を維持しつつ、発泡高さが０の領域に配置する手順、
をコンピュータに実行させるための請求項８に記載の立体画像データ作成プログラム。
《請求項１０》
所定の領域を隆起させるための濃淡データのうち、点字として隆起させるための点字領域を検出する手順、
前記所定の領域の平面サイズが変更され、かつ前記点字領域の平面サイズが拡大編集の前後または縮小編集の前後で同じになるように、前記濃淡データを拡大編集または縮小編集する手順、
をコンピュータに実行させるための立体画像データ作成プログラム。
【符号の説明】
【００８０】
１  立体画像形成システム  （立体画像データ作成システム）
２  タッチパネルディスプレイ
３  コンピュータ
３１  ＣＰＵ  （平面サイズ変更手段、編集手段、検出手段）
３２  ＲＯＭ
３３  ＲＡＭ
３４  記憶部
４１  印刷装置
４２  発泡装置
５，５Ａ  立体画像コンテンツ  （画像データ）
５１，５１Ａ  表面用濃淡データ  （画像データ）
５１１  点字領域
５１２  図形領域
５２  裏面用濃淡データ
５３  絵柄データ
５４  点字用データ
５４１  位置情報
５４２  濃淡データ
６  編集画面
６０  保存ボタン
６１１  Ａ５指定ボタン
６１２  Ａ４指定ボタン
６１３  Ａ３指定ボタン
６２  タイトル領域
６３  オブジェクト選択ボタン群
６４  線属性領域
６５  塗りつぶし領域
６６  編集ボタン群
６７１  線形強調ボタン
６７２  非線形強調ボタン
７ａ，７ｂ  コンテンツ表示領域
７１，７３  点字領域
７２，７４  ランドマーク
７５  方位マーク
７６  道路
【図１】
2018128992.tif 000003
【図２】
2018128992.tif 000004
【図３】
2018128992.tif 000005
【図４】
2018128992.tif 000006
【図５】
2018128992.tif 000007
【図６】
2018128992.tif 000008
【図７】
2018128992.tif 000009
【図８】
2018128992.tif 000010
【図９】
2018128992.tif 000011
【図１０】
2018128992.tif 000012
【図１１】
2018128992.tif 000013
【図１２】
2018128992.tif 000014
【図１３】
2018128992.tif 000015
【図１４】
2018128992.tif 000016
【図１５】
2018128992.tif 000017
【図１６】
2018128992.tif 000018
【図１７】
2018128992.tif 000019
【図１８】
2018128992.tif 000020